(57)【要約】【課題】粒度分布測定装置のような大掛かりで特殊な設備を使用せずに、乳性食品の５０％粒子径を簡便で安価に測定する方法を提供する。【解決手段】  特定の波長の光照射による吸光度の測定値と、乳性食品の５０％粒子径に、一次関数的な相関関係があることを見出し、この相関関係の指標となる検量線を作成などすることで、粒度分布測定装置よりも簡易的に設置できる分光光度計を使用して、乳性食品の５０％粒子径を簡便で安価に測定する。【選択図】  なし【特許請求の範囲】
【請求項１】
光照射による吸光度の測定値と粒度分布測定装置による５０％粒子径の測定値との相関関係を利用することを特徴とする乳性食品の５０％粒子径の簡易測定方法。
【請求項２】
相関関係が比例関係であることを特徴とする請求項１記載の乳性食品の５０％粒子径の簡易測定方法。
【請求項３】
光照射が５００ｎｍ〜１１００ｎｍの波長であることを特徴とする請求項１又は２記載の乳性食品の５０％粒子径の簡易測定方法。
【請求項４】
光照射が８００ｎｍ〜１１００ｎｍの波長であることを特徴とする請求項１〜３の何れか１項記載の乳性食品の５０％粒子径の簡易測定方法。
【請求項５】
乳性食品の５０％粒子径が０．１〜２．０μｍであることを特徴とする請求項１〜４の何れか１項記載の乳性食品の５０％粒子径の簡易測定方法。
【請求項６】
乳性食品が獣乳、加工獣乳、獣乳飲料、獣乳入り清涼飲料、植物乳、加工植物乳、植物乳飲料、植物乳入り清涼飲料であることを特徴とする請求項１〜５の何れか１項記載の乳性食品の５０％粒子径の簡易測定方法。
【請求項７】
獣乳が牛乳であり、植物乳が豆乳であることを特徴とする請求項６記載の乳性食品の５０％粒子径の簡易測定方法。
【請求項８】
吸光度を分光光度計で測定することを特徴とする請求項１〜７の何れか１項記載の乳性食品の５０％粒子径の簡易測定方法。
【発明の詳細な説明】
【技術分野】
【０００１】
本発明は、乳性食品の５０％粒子径の簡易測定方法に関する。具体的には、特定の波長の光照射による吸光度の測定値を利用する、乳性食品の５０％粒子径の簡易測定方法に関する。
【背景技術】
【０００２】
乳性食品の粒子は、脂肪球やタンパク質粒子（カゼインミセルなど）で構成されており、均質化処理や乳化処理などにより、その寸法が制御される。例えば乳性食品の代表的なものとして、牛乳では搾乳時に、脂肪球の寸法が大きいため、そのままでは、脂肪球が浮上しやすく、いわゆるクリーミング（脂肪浮上）の現象が見られる。そのため、均質機（ホモゲナイザー）を用いて均質化処理し、脂肪球の寸法を小さくして、脂肪球の浮上速度を遅らせることで、クリーミングを抑制している（非特許文献１）。【０００３】
また、乳性食品では、脂肪球の寸法、いわゆる脂肪球径が風味や食感に影響することが知られている。すなわち、乳性食品では、栄養組成（脂質、タンパク質、糖質、灰分など）が同じでも、脂肪球径が異なると、風味や食感などが変わることは既知の事実であり、例えば脂肪球径を大きくすることで、濃厚感を高められることになる。【０００４】
上記の通り、乳性食品の粒子は、風味や食感に影響するが、このとき、乳性食品を分散体とすると、体積基準の粒度分布の測定結果の平均値を「５０％粒子径」として代用することが多い。そして、この乳性食品の「５０％粒子径」を測定する代表的な機器には、レーザー回折式の粒度分布測定装置（島津製作所製）などがある（特許文献１〜４）。そこで、このような粒度分布測定装置を導入できれば、乳性食品の５０％粒子径を確実に測定できることとなるが、実際の購入費や維持費・修繕費などを勘案すると、必ずしも手軽に導入できるとは言い難い。【０００５】
従って、粒度分布測定装置を導入していない場合、乳性食品の均質化処理における剪断効果を考慮した上で、過去の経験から、乳性食品の５０％粒子径を推測する方法などを採用してきた。例えば牛乳のクリーミングを抑制するためには、所定値以上の高圧で均質化処理し、脂肪球の寸法を小さくしてきたが、このとき、その都度では、実際の牛乳の５０％粒子径を測定することはなかった。
【先行技術文献】
【特許文献】
【０００６】
【特許文献１】特開平１１−００９１８７
【特許文献２】特開２００１−２９２７１６
【特許文献３】特開２００４−２６７１５３
【特許文献４】ＷＯ２００２／０３７９８５
【非特許文献】
【０００７】
【非特許文献１】伊藤肇躬著「乳製品製造学」２００４（平成１６）年６月１５日発行
【発明の概要】
【発明が解決しようとする課題】
【０００８】
このような状況に鑑み、本発明では、粒度分布測定装置のような大掛かりで特殊な設備を使用せずに、乳性食品（液状乳性食品の脂肪球径やタンパク質粒子径など）の５０％粒子径を簡便で安価に測定する方法を提供することを課題とする。
【課題を解決するための手段】
【０００９】
本発明者らは、上記の課題に鑑み、鋭意研究を進めたところ、以下の知見を得た。すなわち、特定の波長の光照射による吸光度の測定値と粒度分布測定装置による乳性食品の５０％粒子径の測定値とに相関関係があることを見出し、これを利用することで、粒度分布測定装置のような大掛かりで高価な設備を導入しなくとも、乳性食品の５０％粒子径を簡便で安価に測定できることを見出し、本発明を完成するに至った。【００１０】
具体的には、５００ｎｍ〜１１００ｎｍの波長の光照射による吸光度の測定値と粒度分布測定装置による乳性食品の５０％粒子径の測定値とに一次関数的な相関関係（比例関係）があることを見出し、この相関関係の指標となる検量線を予め作成などすることで、粒度分布測定装置よりも簡易的に設置できる分光光度計を使用して、乳性食品の５０％粒子径を簡便で安価に測定できることを見出した。【００１１】
すなわち、本発明は、次の通りとなる。
［１］  光照射による吸光度の測定値と粒度分布測定装置による５０％粒子径の測定値との相関関係を利用することを特徴とする乳性食品の５０％粒子径の簡易測定方法。
［２］  相関関係が比例関係であることを特徴とする前記［１］記載の乳性食品の５０％粒子径の簡易測定方法。
［３］  光照射が５００ｎｍ〜１１００ｎｍの波長であることを特徴とする前記［１］又は［２］記載の乳性食品の５０％粒子径の簡易測定方法。
［４］  光照射が８００ｎｍ〜１１００ｎｍの波長であることを特徴とする前記［１］〜［３］の何れか記載の乳性食品の５０％粒子径の簡易測定方法。
［５］  乳性食品の５０％粒子径が０．１〜２．０μｍであることを特徴とする前記［１］〜［４］の何れか記載の乳性食品の５０％粒子径の簡易測定方法。
［６］  乳性食品が獣乳、加工獣乳、獣乳飲料、獣乳入り清涼飲料、植物乳、加工植物乳、植物乳飲料、植物乳入り清涼飲料であることを特徴とする前記［１］〜［５］の何れか記載の乳性食品の５０％粒子径の簡易測定方法。
［７］  獣乳が牛乳であり、植物乳が豆乳であることを特徴とする前記［６］記載の乳性食品の５０％粒子径の簡易測定方法。
［８］  吸光度を分光光度計で測定することを特徴とする前記［１］〜［７］の何れか記載の乳性食品の５０％粒子径の簡易測定方法。
【発明の効果】
【００１２】
本発明では、乳性食品の５０％粒子径と、光照射による吸光度の測定値との間に相関関係が存在していることを見出し、ロケーションや装置の制限が少なく、安定した吸光度が得られることから、粒度分布測定装置のような大掛かりで特殊な設備を使用せずに、乳性食品の５０％粒子径を簡便で安価に測定する方法を提供できる。そして、本発明では、汎用性の高い分光光度計を使用して、乳性食品の５０％粒子径を簡易的に測定できるため、乳性食品の品質（風味、食感、物性など）を容易に管理・制御・設計などする方法を提供できる。
【発明を実施するための形態】
【００１３】
以下では、本発明を詳細に説明するが、本発明は、個々の形態には限定されない。
【００１４】
本発明は、光照射による吸光度の測定値を利用することを特徴とする乳性食品の５０％粒子径の簡易測定方法に関するものである。
【００１５】
本発明において、光照射による吸光度の測定値は、公知の原理を用いて測定できれば、特に限定されない。このとき、本発明では、光照射による吸光度を簡便で安価に測定でき、汎用性も高いため、分光光度計を使用することが好ましい。なお、この分光光度計は、公知の仕様であれば、特に限定されないが、測定試料と対照試料との吸光度差を測定できるため、ダブルビーム式が好ましく、分光光度計ＵＶ−１６００ＰＣ（島津製作所製）などを例示できる。この分光光度計は、いったん導入して設置すれば長期的に安定して使用できる。また、吸光度の測定温度は、測定試料や対象試料などが液状であれば、特に限定されないが、具体的には、測定試料や対象試料の取扱いの容易さなどから、１０℃〜３０℃が好ましく、１５℃〜３０℃がより好ましく、２０℃〜２５℃がさらに好ましい。
【００１６】
本発明において、光照射の波長は、乳性食品の５０％粒子径との相関関係が回帰曲線や回帰直線などで表現できれば、特に限定されない。このとき、本発明では、光照射による吸光度と乳性食品の５０％粒子径との相関関係が明確であることから、光照射が５００ｎｍ〜１１００ｎｍ（近赤外線領域）の波長であることが好ましく、光照射が８００ｎｍ〜１１００ｎｍの波長であることがより好ましい。
【００１７】
本発明において、乳性食品の５０％粒子径は、光照射による吸光度の測定値と粒度分布測定装置による乳性食品の５０％粒子径の測定値との相関関係が明確であることから、０．１〜２．５μｍであることが好ましく、０．２〜２．０μｍであることがより好ましく、０．３〜２．０μｍであることがさらに好ましく、０．４〜２．０μｍであることがとくに好ましい。乳性食品の５０％粒子径が２．５μｍより大きいと、検量線の相関関係から外れやすく、乳性食品の５０％粒子径が０．１μｍより小さいと、実際の加工工程や製造工程で調製しにくい。
【００１８】
本発明において、粒度分布測定装置による５０％粒子径の測定値は、公知の原理を用いて測定できれば、特に限定されない。このとき、本発明では、５０％粒子径を簡便で安価に測定でき、汎用性も高いため、粒度分布測定装置を使用することが好ましく、レーザー回折式の粒度分布測定装置ＳＡＬＤ−２００１システム（島津製作所製）などを例示できる。この粒度分布測定装置は、いったん導入して設置すれば長期的に安定して使用できる。
【００１９】
本発明において、粒度分布測定装置による５０％粒子径の測定値は、レーザー回折・散乱法により、乳性食品などの分散体の粒度分布を測定した結果に対して、その積算値で５０％の粒子径である。ここで、積算値で５０％の粒子径とは、粒子径の小さい方から粒子数を加算していき、全部の粒子数の５０％に到達したところの粒子径である。乳性食品のうち、牛乳や乳飲料などでは、５０％粒子径の測定値を平均脂肪球径と称することもあるが、本発明において、５０％粒子径は、平均脂肪球径の意味も包含される。
【００２０】
本発明において、乳性食品は、乳含有の（液状の）食品、乳由来の原料、それらの加工品などであり、特に狭義には限定されない。具体的には、牛、羊、山羊、水牛などに由来する獣乳、加工獣乳、獣乳飲料、獣乳入り清涼飲料であり、大豆などに由来する植物乳、加工植物乳、植物乳飲料、植物乳入り清涼飲料であることが好ましく、代表的に市場で流通していることから、獣乳が牛乳であり、植物乳が豆乳であることがより好ましい。なお、植物油脂とその他の原料を乳化させて構成された人工乳も、植物乳に包含される。
【００２１】
本発明において、乳性食品は、例えば、牛乳の還元の度合いや加工の度合いには、特に限定されない。具体的には、生乳や生乳を殺菌処理した牛乳の他、全脂濃縮乳、全脂粉乳、部分脱脂乳、部分脱脂濃縮乳、部分脱脂粉乳、脱脂乳、脱脂濃縮乳、脱脂粉乳、クリーム、バターなどの還元乳製品にも、それらを液状に還元することで、本発明を適用できる。さらに、牛乳や乳製品を配合して必要な組成に調製した加工乳、牛乳を膜処理して各種の成分を濃縮や除去した加工乳、牛乳や乳製品や加工乳などを含めた乳飲料や乳入り清涼飲料にも、本発明を適用できる。そして、これらは、牛乳以外の獣乳や植物乳にも同様に、本発明を適用できる。
【００２２】
本発明において、乳性食品は、商品特性に合わせて、獣乳以外や植物乳以外の食品、各種の食品添加物などを任意に添加できる。ここで、例えば、食品には、珈琲、茶、果汁、糖類、高甘味度甘味料などを挙げられ、食品添加物には、安定剤、増粘剤、防腐剤、カルシウムなどのミネラル類、香料などを挙げられる。
【００２３】
本発明は、乳性食品の５０％粒子径と、光照射による吸光度の測定値との間に相関関係が存在していることを見出した。つまり、従来の粒度分布測定装置による少なくとも２つの乳性食品の５０％粒子径を得るステップと、当該乳性食品の光照射による吸光度を得るステップと、前記５０％粒子径と前記吸光度との相関関係を割り出すステップと、当該相関関係を利用して未知の乳性食品の５０％粒子径の簡易測定方法。ここでいう「相関関係」とは、前記吸光度と５０％粒子径との間に、例えば、関数（一次、二次等）関係が成り立つことをいう。その相関関係によって、未知の５０％粒子径を吸光度で簡単に計ることができる。また割り出す方法の具体的な方法は、サンプリングとして、少なくとも２つのサンプルを選び、前記のように粒度分布測定装置を用いてその５０％粒子径を測定し、５０％粒子径が得られたサンプルに光照射をあてることで得られる吸光度値と当該５０％粒子径値とを線形最小自乗法を適用し、予め数式と換算係数を算出する方法が例としてあげられる。これによって、乳性食品の５０％粒子径と、光照射による吸光度の測定値との間に比例関係（一次関数：吸光度＝ａ×粒子径＋ｂ（後述する表２等を参照））という相関関係が成り立つ。また、同じ理屈で、他の相関関係、例えば、二次関数等を導き出すこともできる。
【００２４】
本発明において、乳性食品の５０％粒子径は、例えば、光照射による吸光度の測定値と粒度分布測定装置による５０％粒子径の測定値との相関関係に対して、非線形最小自乗法や線形最小自乗法などの公知の近似方法を適用する。そして、その相関関係を数式などで予め算出しておき、実際に測定試料や対照試料の吸光度を測定し、その相関関係の数式などに当てはめて算出できる。ただし、乳性食品の５０％粒子径は、光照射による吸光度の測定値と粒度分布測定装置による５０％粒子径の測定値との相関関係を利用して算出すれば、特に限定されない。具体的には、光照射が５００ｎｍ〜１１００ｎｍの波長である吸光度の測定値と粒度分布測定装置による５０％粒子径の測定値との相関関係を検量線や関数電卓などで算出してから、線形最小自乗法を適用し、予め数式と換算係数を算出する。
そして、実際に測定試料や対照試料の吸光度を測定し、予め算出した数式と換算係数を適用して、乳性食品の５０％粒子径を算出する。なお、これら検量線などの線形最小自乗法の相関係数（Ｒ2）では、０．９０以上が好ましく、０．９３以上がより好ましく、０．９５以上がさらに好ましい。線形最小自乗法の相関係数が０．９０未満では、検量線の精度が落ち、乳性食品の５０％粒子径を精度良く算出できなくなる虞がある。
【００２５】
本発明において、吸光度測定装置として、分光光度計ＵＶ−１６００ＰＣ（島津製作所製）を、粒度分布測定装置として、レーザー回折式の粒度分布測定装置ＳＡＬＤ−２００１システム（島津製作所製）を例示している。ただし、本発明の実施の時点では、これらの装置のリニューアルやバージョンアップなどに伴い、これらの装置が必ずしも存在しないかも知れない。しかしながら、実際に流通や販売している同様の機能を備えた代替装置であれば、製造元、機種、型番などに関わらず、本発明を実施できることは当然である。
すなわち、光照射による吸光度の測定値と粒度分布測定装置による５０％粒子径の測定値を、それらの代替装置で測定し、それぞれの測定値の相関関係を利用して、乳性食品の５０％粒子径を算出できることは言うまでもない。
【実施例】
【００２６】
以下では、実施例を挙げて、本発明をさらに詳細に説明するが、本発明は、これにより限定されない。【００２７】
（試験例１）
生乳（無脂乳固形分：８．７％、乳脂肪分：４．１％）を３ｋｇで用意し、ステンレス製の小型容器内で攪拌しながら、１０℃から６０℃まで加熱した後に、卓上均質機（ＮＳ１００１、Ｎｉｒｏ  Ｓｏａｖｉ社製）を用いて、表１に示した５種類の圧力で均質化処理した。これら５種類の未加熱乳を耐熱容器内に分注してから、オートクレーブを用いて、１１０℃、１分間で加熱した後に、氷水で１０℃以下に冷却し、５種類の加熱乳（牛乳）を調製した（試料１〜５）。これらの試料１〜５を１００倍に希釈してから、分光光度計（ＵＶ−１６００ＰＣ、島津製作所社製）を用いて、光照射の波長が４００ｎｍ、５００ｎｍ、６００ｎｍ、７００ｎｍ、８００ｎｍ、９００ｎｍ、１０００ｎｍ、１１００ｎｍの吸光度を測定すると共に、粒度分布計（ＳＡＬＤ−２００１、島津製作所社製）を用いて、５０％粒子径を測定し、その結果を表１に示した。また、各波長における吸光度と、５０％粒子径との相関関係を、一次直線的に近似し、その相関係数などを表２に示した。【００２８】
【表１】
2013125612.tif 000002
【００２９】
【表２】
2013125612.tif 000003
【００３０】
表２より、波長が８００ｎｍから１１００ｎｍまで、５０％粒子径が０．４６μｍから１．９７μｍまでの場合、吸光度と５０％粒子径との相関関係が比例しており、最小自乗法により、一次直線的に近似できた。波長が７００ｎｍで、５０％粒子径が０．４６μｍから１．３９μｍまでの場合、吸光度と５０％粒子径との相関関係が比例しており、最小自乗法により、一次直線的に近似できた。波長が５００ｎｍから６００ｎｍまで、５０％粒子径が０．４６μｍから１．０３μｍまでの場合、吸光度と５０％粒子径との相関関係が比例しており、最小自乗法により、一次直線的に近似できた。波長が４００ｎｍの場合、吸光度と５０％粒子径との相関関係は比例しておらず、一次直線的に近似できなかった。【００３１】
（試験例２）
試験例１で調製した加熱乳（試料１）を４０ｇ、市販の無糖タイプの珈琲飲料（「セブンプレミアム  無糖コーヒー」）を１６ｇ、砂糖を５．６ｇ、及び原料水を１８．４ｇで用意し、それぞれを混合した。この混合物を耐熱容器内に分注してから、オートクレーブを用いて、１１０℃、１分間で加熱した後に、氷水で１０℃以下に冷却し、珈琲乳飲料を調製した（試料６）。実施例１で調製した加熱乳（試料２〜５）でも、前記と同様にして、珈琲乳飲料を調製した（試料７〜１０）。これらの試料６〜１０を１００倍に希釈してから、分光光度計（ＵＶ−１６００ＰＣ、島津製作所社製）を用いて、光照射の波長が４００ｎｍ、５００ｎｍ、６００ｎｍ、７００ｎｍ、８００ｎｍ、９００ｎｍ、１０００ｎｍ、１１００ｎｍの吸光度を測定すると共に、粒度分布計（ＳＡＬＤ−２００１、島津製作所社製）を用いて、５０％粒子径を測定し、その結果を表３に示した。また、各波長における吸光度と、５０％粒子径との相関関係を、一次直線的に近似し、その相関係数などを表４に示した。【００３２】
【表３】
2013125612.tif 000004
【００３３】
【表４】
2013125612.tif 000005
【００３４】
表４より、波長が８００ｎｍから１１００ｎｍまで、５０％粒子径が０．４６μｍから１．９７μｍまでの場合、吸光度と５０％粒子径との相関関係が比例しており、最小自乗法により、一次直線的に近似できた。波長が５００ｎｍから７００ｎｍまで、５０％粒子径が０．４６μｍから１．３９μｍまでの場合、吸光度と５０％粒子径との相関関係が比例しており、最小自乗法により、一次直線的に近似できた。波長が４００ｎｍの場合、吸光度と５０％粒子径との相関関係は比例しておらず、一次直線的に近似できなかった。すなわち、吸光度と５０％粒子径との相関関係について、加熱乳（牛乳）で確認された傾向が、珈琲成分などを添加した珈琲乳飲料でも確認されることが分かった。【００３５】
（試験例３）
脱脂粉乳を２７１．８ｇ、無塩バターを１２７．５ｇ、原料水を２６００．７ｇで用意し、それぞれを混合した。この調合乳（無脂乳固形分：８．７％、乳脂肪分：３．６％）をステンレス製の大型容器内で攪拌しながら、１０℃から６０℃まで加熱した後に、卓上均質機（ＮＳ１００１、Ｎｉｒｏ  Ｓｏａｖｉ社製）を用いて、表５に示した５種類の圧力で均質化処理した。これら５種類の未加熱加工乳を耐熱容器内に分注してから、オートクレーブを用いて、１１０℃、１分間で加熱した後に、氷水で１０℃以下に冷却し、５種類の加熱加工乳（加工乳）を調製した（試料１１〜１５）。これらの試料１１〜１５を１００倍に希釈してから、分光光度計（ＵＶ−１６００ＰＣ、島津製作所社製）を用いて、光照射の波長が４００ｎｍ、５００ｎｍ、６００ｎｍ、７００ｎｍ、８００ｎｍ、９００ｎｍ、１０００ｎｍ、１１００ｎｍの吸光度を測定すると共に、粒度分布計（ＳＡＬＤ−２００１、島津製作所社製）を用いて、５０％粒子径を測定し、その結果を表５に示した。また、各波長における吸光度と、５０％粒子径との相関関係を、一次直線的に近似し、その相関係数などを表６に示した。【００３６】
【表５】
2013125612.tif 000006
【００３７】
【表６】
2013125612.tif 000007
【００３８】
表６より、波長が６００ｎｍから１１００ｎｍまで、５０％粒子径が０．５４μｍから１．７４μｍまでの場合、吸光度と５０％粒子径との相関関係が比例しており、最小自乗法により、一次直線的に近似できた。波長が５００ｎｍで、５０％粒子径が０．５４μｍから１．４２μｍまでの場合、吸光度と５０％粒子径との相関関係が比例しており、最小自乗法により、一次直線的に近似できた。波長が５００ｎｍから１１００ｎｍまで、５０％粒子径が２．５９μｍの場合、吸光度と５０％粒子径との相関関係は比例しておらず、一次直線的に近似できなかった。波長が４００ｎｍの場合、吸光度と５０％粒子径との相関関係は比例しておらず、一次直線的に近似できなかった。すなわち、吸光度と５０％粒子径との相関関係について、加熱乳（牛乳）で確認された傾向が、還元乳原料で調製した加工乳でも確認されることが分かった。【００３９】
（試験例４）
生乳を５２６８０ｇ、脱脂濃縮乳を２０７０ｇ、原料水を５２５０ｇで用意し、それぞれを混合した。この調合乳（無脂乳固形分：８．８％、乳脂肪分：３．６％）をタンク内で攪拌しながら、１０℃から６０℃まで加熱した後に、均質機（ホモゲナイザー）を用いて、表７に示した３種類の圧力で均質化処理した。これら３種類の未加熱加工乳について、プレート式熱交換機を用いて、８５℃で予熱してから、１３０℃、２秒間で加熱した後に、１０℃以下に冷却し、３種類の加熱加工乳（加工乳）を調製した（試料１６〜１８）。これらの試料１６〜１８を１００倍に希釈してから、分光光度計（ＵＶ−１６００ＰＣ、島津製作所社製）を用いて、光照射の波長が８００ｎｍ、８５０ｎｍ、９００ｎｍ、１０００ｎｍ、１１００ｎｍの吸光度を測定すると共に、粒度分布計（ＳＡＬＤ−２００１、島津製作所社製）を用いて、５０％粒子径を測定し、その結果を表７に示した。また、各波長における吸光度と、５０％平均粒子径との相関関係を、一次直線的に近似し、その相関係数などを表８に示した。【００４０】
【表７】
2013125612.tif 000008
【００４１】
【表８】
2013125612.tif 000009
【００４２】
表８より、波長が８００ｎｍから１１００ｎｍまで、５０％粒子径が０．６８μｍから１．２９μｍまでの場合、吸光度と５０％粒子径との相関関係が比例しており、最小自乗法により、一次直線的に近似できた。
【産業上の利用可能性】
【００４３】
本発明では、乳性食品の５０％粒子径と、光照射による吸光度の測定値との間に相関関係が存在していることを見出し、ロケーションや装置の制限が少なく、安定した吸光度が得られることから、粒度分布測定装置のような大掛かりで特殊な設備を使用せずに、乳性食品の５０％粒子径を簡便で安価に測定する方法を提供できる。そして、本発明では、汎用性の高い分光光度計を使用して、乳性食品の５０％粒子径を簡易的に測定できるため、乳性食品の品質（風味、食感、物性など）を容易に管理・制御・設計などする方法を提供できる。
【国際調査報告】
2013125612.tif 000010
2013125612.tif 000011
2013125612.tif 000012
2013125612.tif 000013